(57)【要約】【課題】表示面の高さと角度の両方を調整できる携帯式電子機器のスタンド構造を提供する。【解決手段】筐体１０１の背面１０１ｂにトルク・ヒンジでスタンド１０５、１１５を取り付けている。スタンド１０５、１１５を収納状態から開放状態に回動させて、載置面５０に対する表示面１０１ａの高さとさ角度を調整することができる。収納状態では、スタンド１０５、１１５を筐体の一部として一体的に持ち運ぶことができる。従来のスタンドに比べて操作および閲覧を良好にすることができる。【選択図】図２
2016206448.tif 000002
【特許請求の範囲】
【請求項１】
フラット状の筐体を備える携帯式電子機器のスタンド構造であって、
前記筐体の背面に収納状態と開放状態の間を回動可能に取り付けた第１のスタンドと、
前記筐体の背面に収納状態と開放状態の間を回動可能に取り付けた第２のスタンドとを有し、
開放状態の前記第１のスタンドと前記第２のスタンドが載置面から前記筐体を浮上させて前記載置面に対する高さと角度の調整を可能にするスタンド構造。
【請求項２】
前記収納状態で前記第１のスタンドと前記第２のスタンドが前記背面に密着する請求項１に記載のスタンド構造。
【請求項３】
前記第１のスタンドと前記第２のスタンドを前記背面にトルク・ヒンジで結合している請求項１に記載のスタンド構造。
【請求項４】
前記第１のスタンドと前記第２のスタンドの回動軸が前記背面の中央で接近した位置に存在する請求項１に記載のスタンド構造。
【請求項５】
前記第１のスタンドと前記第２のスタンドが、開放状態のときに側面からみて逆Ｖ字を構成する請求項４に記載のスタンド構造。
【請求項６】
前記第１のスタンドと前記第２のスタンドの前記収納状態からの回動角度が大きくなるに従って前記筐体の高さが高くなる請求項４に記載のスタンド構造。
【請求項７】
前記第１のスタンドの回動軸が前記筐体の一方の辺の近くに存在し前記第２のスタンドの回動軸が前記一方の辺に対向する辺の近くに存在する請求項１に記載のスタンド構造。
【請求項８】
前記第１のスタンドと前記第２のスタンドが、開放状態のときに側面からみてＸ字を構成する請求項７に記載のスタンド構造。
【請求項９】
前記第１のスタンドの背面に前記第１のスタンドの回動方向と直角な方向に回動可能に取り付けた第３のスタンドと、
前記第１のスタンドの背面に前記第１のスタンドの回動方向と直角な方向に回動可能に取り付けた第４のスタンドとを有し、
前記第１のスタンドと前記第２のスタンドが前記収納状態のときに前記第３のスタンドと前記第４のスタンドを開放状態にして前記載置面から前記筐体を浮上させ前記載置面に対する高さと角度の調整を可能にする請求項１に記載のスタンド構造。
【請求項１０】
フラット状の筐体を備える携帯式電子機器のスタンド構造であって、
前記筐体の背面に回転可能に取り付けた回転台と、
前記回転台に収納状態と開放状態の間を回動可能に取り付けた第１のスタンドと、
前記回転台に収納状態と開放状態の間を回動可能に取り付けた第２のスタンドとを有し、
前記第１のスタンドと前記第２のスタンドを開放状態にして載置面から前記筐体を浮上させ前記載置面に対する高さと角度の調整を可能にするスタンド構造。
【請求項１１】
請求項１から請求項１０のいずれかに記載のスタンド構造を備える携帯式電子機器。
【請求項１２】
筐体の背面に回動可能に取り付けられた第１のスタンドと第２のスタンドが携帯式電子機器の姿勢を載置面上で保持する方法であって、
収納状態の前記第１のスタンドを前記背面から所定の方向に回動するステップと、
収納状態の前記第２のスタンドを前記背面から前記所定の方向と反対方向に回動するステップと、
前記第１のスタンドと前記第２のスタンドが相互に形成する角度で前記筐体の高さを調整するステップと、
前記第１のスタンドまたは前記第２のスタンドに対して前記背面が形成する角度で前記載置面に対する表示面の角度を調整するステップと
を有する方法。
【発明の詳細な説明】
【技術分野】
【０００１】
本発明は、フラット状の筐体を備える携帯式電子機器のスタンド構造に関する。
【背景技術】
【０００２】
タブレット端末やスマートフォンのような携帯式電子機器は、フラット状の筐体を備えており、手で保持したり机上に置いたりして画面を閲覧する。机上においたときに表示面が上を向いていると表示面に対する視線の角度が小さくなって見にくいため、ある種の携帯式電子機器では視線の角度が大きくなるように工夫している。図７に従来のタブレット端末１０のスタンド構造の一例を示す。
【０００３】
筐体１１は表面にディスプレイ１３を搭載し、背面にスタンド１５が取り付けている。スタンド１５は、背面に折りたためるようにヒンジで結合している。タブレット端末１０を手に保持して使用するときはスタンドを折り畳み、机上において使用するときはスタンド１５を開く。ユーザは視線に適するようにスタンド１５を開く角度を調整する。タブレット端末１０は、机上に置いたときにスタンド１５を使って姿勢を保持し、無線で接続するキーボードを用意してノートブック型パーソナル・コンピュータのように使用することができる。特許文献１〜３は、電子機器の筐体に収納が可能なスタンド構造を開示する。特許文献４は、ディスプレイの高さと視線に対する角度の調整が可能なスタンド構造を開示する。
【先行技術文献】
【特許文献】
【０００４】
【特許文献１】米国特許出願公開第２０１４／０２９３５３４号明細書
【特許文献２】米国特許出願公開第２０１５／００６９０９９号明細書
【特許文献３】米国特許出願公開第２０１４／０２９１１７４号明細書
【特許文献４】米国特許出願公開第２００７／００５８３２９号明細書
【発明の概要】
【発明が解決しようとする課題】
【０００５】
従来から存在するスタンド構造のなかで携帯式電子機器の筐体に収納が可能なものは、筐体の一片が載置面に接するため、視線に対するディスプレイの表面の角度は調整できるが載置面からのディスプレイの高さは調整できない。また、ディスプレイの高さと角度が調整できるスタンド構造は規模が大きくなって筐体に収納できない。そこで本発明の目的は、表示面の高さと角度の両方を調整できる携帯式電子機器のスタンド構造を提供することにある。さらに本発明の目的は、簡単に筐体と一体にして持ち運びができる携帯式電子機器のスタンド構造を提供することにある。さらに本発明の目的は、そのようなスタンド構造を搭載した携帯式電子機器および保持方法を提供することにある。
【課題を解決するための手段】
【０００６】
本発明は、フラット状の筐体を備える携帯式電子機器のスタンド構造を提供する。本発明の第１の態様にかかるスタンド構造は、筐体の背面に収納状態と開放状態の間で回動可能に取り付けた第１のスタンドと、筐体の背面に収納状態と開放状態の間で回動可能に取り付けた第２のスタンドとを有し、開放状態の第１のスタンドと第２のスタンドが載置面から筐体を浮上させて載置面に対する高さと角度の調整を可能にする。載置面から浮上するため、特に、ユーザが立った状態で下にある画面を閲覧するような場合に便利である。
【０００７】
収納状態で第１のスタンドと第２のスタンドが背面に密着するようにしておけば、持ち運びに便利である。第１のスタンドと第２のスタンドは、背面にトルク・ヒンジで結合することができる。第１のスタンドと第２のスタンドは、それぞれ矩形状の筐体の１辺に平行な回動軸に沿って回動することができる。第１のスタンドと第２のスタンドの回動軸は、背面の中央で接近した位置に存在するようにしてもよい。この場合、載置状態では第１のスタンドと第２のスタンドの側面が逆Ｖ字を構成する。
【０００８】
第１のスタンドと第２のスタンドは、収納状態からの回動角度が大きくなるに従って筐体の高さが高くなるようにすることができる。第１のスタンドの回動軸が筐体の一方の辺の近くに存在し第２のスタンドの回動軸が一方の辺に対向する辺の近くに存在するようにしてもよい。この場合、第１のスタンドと第２のスタンドが、開放状態のときに側面からみてＸ字状に交差するようにしてもよい。
【０００９】
第１のスタンドの背面に第１のスタンドの回動方向と直角な方向に回動可能に取り付けた第３のスタンドと、第１のスタンドの背面に第２のスタンドの回動方向と直角な方向に回動可能に取り付けた第４のスタンドとを有し、第１のスタンドと第２のスタンドが収納状態のときに第３のスタンドと第４のスタンドを開放状態にして載置面から筐体を浮上させ、筐体の高さと角度の調整を可能にすることができる。第１のスタンドと第２のスタンドの組または第３のスタントまたは第４のスタンドの組のいずれかを開放状態にすることで、矩形状の筐体の長辺と短辺のいずれでも天地方向に設定することができる。
【００１０】
本発明の第２の態様にかかるスタンド構造は、筐体の背面に回転可能に取り付けた回転台と、回転台に収納状態と開放状態の間で回動可能に取り付けた第１のスタンドと、回転台に収納状態と開放状態の間で回動可能に取り付けた第２のスタンドとを有し、第１のスタンドと第２のスタンドを開放状態にして載置面から筐体を浮上させ筐体の高さと角度の調整を可能にする。回転台を回転させることで、矩形状の筐体の長辺と短辺のいずれでも天地方向に設定することができる。
【００１１】
本発明の第３の態様は、筐体の背面にそれぞれ回動可能に収納した第１のスタンドと第２のスタンドが携帯式電子機器の姿勢を載置面上で保持する方法を提供する。収納状態の第１のスタンドを背面から所定の方向に回動し、収納状態の第２のスタンドを背面から所定の方向と反対方向に回動し、第１のスタンドと第２のスタンドが相互に形成する角度で筐体の高さを調整し、第１のスタンドまたは第２のスタンドに対する背面の角度で載置面に対する表示面の角度を調整する。
【発明の効果】
【００１２】
本発明により、表示面の高さと角度の両方を調整できる携帯式電子機器のスタンド構造を提供することができた。さらに本発明により、簡単に筐体と一体にして持ち運びができる携帯式電子機器のスタンド構造を提供することができた。さらに本発明により、そのようなスタンド構造を搭載した携帯式電子機器および保持方法を提供することができた。
【図面の簡単な説明】
【００１３】
【図１】携帯式電子機器１００のスタンド構造を説明するための斜視図である。
【図２】携帯式電子機器１００のスタンド構造を説明するための斜視図である。
【図３】携帯式電子機器１００のスタンド構造を説明するための背面図と側面図である。
【図４】携帯式電子機器２００のスタンド構造を説明するための背面図と側面図である。
【図５】携帯式電子機器３００のスタンド構造を説明するための背面図である。
【図６】携帯式電子機器４００のスタンド構造を説明するための背面図である。
【図７】従来のタブレット端末１０のスタンド構造の一例を示す図である。
【発明を実施するための形態】
【００１４】
図１、図２は、タブレット端末やスマートフォンに代表される携帯式電子機器１００のスタンド構造を説明するための斜視図である。図３（Ａ）は携帯式電子機器１００の背面図で図３（Ｂ）は側面図である。携帯式電子機器１００は、フラット状の筐体１０１の内部に電子デバイスを搭載する。筐体１０１の表示面１０１ａはディスプレイ１０３が構成し、背面１０１ｂにはスタンド１０５、１１５を取り付けている。
【００１５】
表示面１０１ａと背面１０１ｂは、それぞれほぼ平坦な面である。ここにフラット状の筐体は、載置面５０に放置したときにそれ自体では自立することができず、表示面１０１ａまたは背面１０１ｂが載置面に接触した状態で安定するものをいう。また、表示面１０１ａはディスプレイ１０３側の面をいい、背面は表示面に対向する筐体１０１の面をいう。
【００１６】
一例において筐体１０１は平面的な形状が矩形で短辺１０２ａ、１０２ｎと長辺１０２ｃ、１０２ｄを定義（図３）することができる。携帯式電子機器１００は加速度センサで姿勢の変化を検出して、いずれの辺が上に位置してもディスプレイ１０３には天地を調整した画像を表示することができる。スタンド１０５は、トルク・ヒンジ１０７ａ、１０７ｂで背面１０１ｂに取り付けられ、スタンド１１５は、トルク・ヒンジ１１７ａ、１１７ｂで背面１０１ｂに取り付けられている。
【００１７】
図３（Ａ）に示すように、一例において、トルク・ヒンジ１０７ａ、１０７ｂはスタンド１０５が筐体１０１の長手方向の中心線１０８の近辺で、中心線１０８に平行な回動軸１０６を中心にして回動できるように配置している。また、トルク・ヒンジ１１７ａ、１１７ｂは、スタンド１１５が中心線１０８の近辺で、中心線１０８に平行な回動軸１１６を中心にして回動できるように配置している。トルク・ヒンジ１０７ａ、１０７ｂ、１１７ａ、１１７ｂが回転するときのトルクは、スタンド１０５、１１５を意図的に操作するユーザの力に対しては回動を許容し、筐体１０１の重さでは回動しないように設定している。
【００１８】
図１（Ａ）は、スタンド１０５、１１５が収納状態になっている。収納状態ではスタンド１０５、１１５は背面１０１ｂに密着しており、外観上は筐体１０１の厚さがスタンド１０５、１１５の厚さ分だけ厚くなる。携帯式電子機器１００は、スタンド１０５、１１５を収納状態にすれば、スタンド１０５、１１５を筐体１０１の一部のようにして持ち運ぶことができる。
【００１９】
図１（Ｂ）は、スタンド１１５だけを回動させてスタンド１１５と短辺１０１ｂを載置面５０が支持する状態にして表示面１０１ａを載置面５０に対して傾斜させた様子を示している。図２（Ａ）、（Ｂ）は、スタンド１０５、１１５を回動させてスタンド１０５、１１５を載置面が支持できる状態にして筐体１０１を載置面から浮上させ、さらに、表示面１０１ａを載置面に対して傾斜させたときの様子を示している。
【００２０】
図２（Ａ）、（Ｂ）に示すようにスタンド１０５、１１５の両方を同時に回動させた状態を開放状態という。開放状態では、逆Ｖ字状のスタンド１０５、１１５の面が形成する角度α（図３）が小さいほど中心線１０８の位置の載置面５０に対する高さが高くなり、角度αが大きいほど高さが低くなる。スタンド１０５、１１５はトルク・ヒンジ１０７ａ、１０７ｂ、１１７ａ、１１７ｂの作用で、角度αを一定にしながら表示面１０１ａが載置面５０に対して傾斜する角度β（図３）を調整することができる。あるいはスタンド１０５、１１５は、角度βを一定にしながら、角度αを調整することができる。
【００２１】
図４（Ａ）は、他の携帯式電子機器２００のスタンド構造を説明するための背面図で、図４（Ｂ）は載置面５０上に載置した状態を示す側面図である。図４（Ａ）では、収納状態のスタンド２０５がトルク・ヒンジ２０７ａ、２０７ｂで筐体２０１の背面２０１ｂに取り付けられ、収納状態のスタンド２１５がトルク・ヒンジ２１７ａ、２１７ｂで背面２０１ｂに取り付けられている。一例において、トルク・ヒンジ２０７ａ、２０７ｂ、２１７ａ、２１７ｂは、それぞれ筐体２０１の長辺２０２ａ、２０２ｂに平行な回動軸２０６ａ、２０６ｂ、２１６ａ、２１６ｂを備えている。回動軸２０６ａ、２０６ｂは、長辺２０２ｂに近い位置に配置し、回動軸２１６ａ、２１６ｂは長辺２０２ａに近い位置に配置している。
【００２２】
スタンド２０５、２１５が回動して開放状態になると載置面５０の上で側面がＸ字状に交差する。ユーザはスタンド２０５、２１５の回動の角度を調整することで、表示面２０１ａの高さと表示面２０１ａの載置面５０に対する角度を調整することができる。携帯式電子機器１００、２００のスタンド構造では、表示面１０１ａ、２０１ａの天地方向が、回動軸の筐体の辺に対する方向で決まってしまう。スタンド構造が、任意の辺を天にして携帯式電子機器を載置できれば都合がよい。
【００２３】
図５は、載置するときにユーザが筐体の天地方向の選択ができる携帯式電子機器３００のスタンド構造を説明するための背面図である。平面的に矩形状の筐体３０１の背面３０１ｂには、トルク・ヒンジ３０７ａ、３０７ｂでスタンド３０５が取り付けられ、トルク・ヒンジ３１７ａ、３１７ｂでスタンド３１５が取り付けられている。
【００２４】
一例において、トルク・ヒンジ３０７ａ、３０７ｂは、スタンド３０５が筐体３０１の長辺３０２ｃ、３０２ｄに平行な回動軸３０６を中心にして回動できるように配置している。また、トルク・ヒンジ３１７ａ、３１７ｂは、スタンド３１５が長辺３０２ｃ、３０２ｄに平行な回動軸３１６を中心にして回動できるように配置している。スタンド３０５、３１５は、収納状態で背面３０１ｂに密着する。
【００２５】
スタンド３０５には、トルク・ヒンジ４０７、４１７でスタンド４０５、４１５が取り付けられている。スタンド３１５には、トルク・ヒンジ５０７、５１７でスタンド５０５、５１５が取り付けられている。トルク・ヒンジ４０７、４１７は、スタンド４０５、４１５が筐体３０１の短辺３０２ａ、３０２ｂに平行な回動軸４０６、４１６を中心にして相互に独立して回動できるように配置している。また、トルク・ヒンジ５０７、５１７は、スタンド５０５、５１５が短辺３０２ａ、３０２ｂに平行な回動軸５０６、５１６を中心にして相互に独立して回動できるように配置している。収納状態で、スタンド４０５、４１５はスタンド３０５に密着し、スタンド５０５、５１５はスタンド３１５に密着している。
【００２６】
携帯式電子機器３００は、収納状態にしたスタンド３０５、３１５、４０５、４１５、５０５、５１５を筐体３０１の一部のようにして持ち運ぶことができる。筐体３０１の長辺３０２ｃ、３０２ｄを天地方向にして載置するときは、スタンド４０５、４１５、５０５、５１５を収納状態にしたまま、スタンド３０５、３１５を図２のように開放状態にすることで筐体３０１の全体を載置面から浮上させ、表示面の高さと傾斜角を同時に調整することができる。また、短辺３０２ａ、３０２ｂを天地方向にして載置するときは、スタンド３０５、３１５を収納状態にしたまま、スタンド４０５、４１５、５０５、５１５を開放状態にすることで筐体３０１の全体を載置面から浮上させ、表示面の高さと傾斜角を同時に調整することができる。
【００２７】
図６は、載置するときに筐体の天地方向の選択が可能な他の携帯式電子機器４００のスタンド構造を説明するための背面図である。平面的に矩形状の筐体４０１の背面４０１ｂには、筐体４０１に対して回転ができるように回転台４５０を取り付けている。回転台４５０には、トルク・ヒンジ６０７でスタンド６０５が取り付けられ、トルク・ヒンジ６１７でスタンド６１５が取り付けられている。トルク・ヒンジ６０７、６１７はそれぞれ回動軸６０６、６１６を備えている。
【００２８】
スタンド６０５、６１５は、回転台４５０を回転させることで、筐体４０１に対する回動方向を変えることができる。図６（Ａ）は、回動軸６０６、６１６が筐体４０１の長辺４０２ｃ、４０２ｄに平行な収納状態を示しており、図６（Ｂ）は回動軸６０６、６１６が短辺４０２ａ、４０２ｂに平行な収納状態を示している。載置するときに図６（Ａ）の状態でスタンド６０５、６１５を開放状態にすると、筐体４０１の全体が載置面から浮上し、かつ、長辺４０２ｃ、４０２ｄが天地方向に位置する。また、図６（Ｂ）の状態でスタンド６０５、６１５を開放状態にすると、筐体４０１の全体が載置面から浮上し、かつ、短辺４０２ａ、４０２ｂが天地方向に位置する。
【００２９】
筐体がフラット状の携帯式電子機器を、ユーザが立った状態で足下に近い位置にある陳列棚の載置面に載置するような場合は、従来のように角度だけを調整しても視線から遠くなって見にくかったが、本実施の形態にかかるスタンド構造は、フラット状の筐体の高さと角度を同時に調整できるため利用し易くなっている。また、スタンド構造は収納状態にして筐体の一部として持ち運ぶことができるため便利である。ただし本発明の特徴を備えるスタンド構造を、使用時にだけ携帯式電子機器を装着するように筐体とは別単体として製作することもできる。
【００３０】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００３１】
５０  載置面
１００、２００、３００、４００  携帯式電子機器
１０１、２０１、３０１、４０１  筐体
１０１ａ、２０１ａ  表示面
１０１ｂ、２０１ｂ、３０１ｂ、４０１ｂ  背面
１０３  ディスプレイ
１０５、１１５、２０５、２１５、３０５、３１５、４０５，４１５、５０５、５１５、６０５、６１５  スタンド
１０６、１１６、２０６ａ、２０６ｂ、２１６ａ、２１６ｂ、３０６、３１６、４０６、４１６、５０６、５１６、６０６、６１６  回動軸
１０７ａ、１０７ｂ、１１７ａ、１１７ｂ、２０７ａ、２０７ｂ、２１７ａ、２１７ｂ、３０７ａ、３０７ｂ、３１７ａ、３１７ｂ、４０７、４１７、５０７、５１７  トルク・ヒンジ
４５０  回転台
【図１】
2016206448.tif 000003
【図２】
2016206448.tif 000004
【図３】
2016206448.tif 000005
【図４】
2016206448.tif 000006
【図５】
2016206448.tif 000007
【図６】
2016206448.tif 000008
【図７】
2016206448.tif 000009